(57)【要約】【課題】より強度の増した構造及び収納部材を提供すること【解決手段】  物品の収納用又は緩衝用部材の一部の構造１であって、角筒形状に配置された、前面部１０、後面部２０、上面部３０、及び下面部４０と、前面部１０の内側面１１と後面部２０の内側面２１との間隔分の幅を有し、前面部１０の内側面１１と後面部２０の内側面２１に対して主面４４ｂが垂直になるように配置された補強部材４４とを備え、下面部４０は、外側下面部４１と内側下面部４２を有し、内側下面部４２は、その一部が切りかかれた切り欠き部を有し、補強部材４４の一端は、切り欠き部の縁部と接続されている、構造１である。【選択図】図３
2010052746.tif 000002
【特許請求の範囲】
【請求項１】
物品の収納用又は緩衝用部材の一部の構造であって、
角筒形状に配置された、前面部、後面部、上面部、及び下面部と、
前記前面部の内側面と前記後面部の内側面との間隔分の幅を有し、前記前面部の内側面と前記後面部の内側面に対して主面が実質上垂直になるように配置された板状の補強部材とを備え、
前記下面部は、外側下面部と内側下面部を有し、
前記内側下面部は、その一部が切りかかれた切り欠き部を有し、
前記補強部材の一端は、前記切り欠き部の縁部と接続されている、構造。
【請求項２】
前記補強部材は、前記内側下面部の前記一部が切り起こされて形成されている、請求項１記載の構造。
【請求項３】
前記上面部には、前記前面部側から前記後面部側に向かって第１スリットが形成されており、
前記補強部材の他の一端が、前記第１スリットから突出している、請求項１記載の構造。
【請求項４】
前記上面部の一部が切り起こされて、前記前面と実質上同一面上に配置された切り起こし部を備え、
前記補強部材の前記他の一端の側端面は、前記切り起こし部の主面に当接している、請求項１記載の構造。
【請求項５】
前記切り起こし部の上端は、前記補強部材の前記他の一端よりも上方に位置している、請求項４記載の構造。
【請求項６】
１枚の部材が折り曲げられて、前記前面部、前記後面部、前記上面部、及び前記下面部が形成されている、請求項１〜５のいずれかに記載の構造。
【請求項７】
物品が載置される底面部と、前記底面部を囲むように設けられた４つの側壁とを備えた収納部材であって、
前記４つの側壁のうち、少なくとも１つの前記側壁が、請求項１〜６のいずれかの構造を有し、
前記底面部の一部が、前記外側下面部である、収納部材。
【請求項８】
前記構造を有する側壁に隣り合う２つの前記側壁のうち、一方の前記側壁に形成された第２スリットと、
他方の前記側壁に形成された第３スリットと、
前記構造を有する側壁の前記前面部に形成された、前記第２スリットと嵌合する第４スリットと、
前記構造を有する側壁の前記前面部に形成された、前記第３スリットと嵌合する第５スリットとを備えた、請求項７記載の収納部材。
【発明の詳細な説明】
【技術分野】
【０００１】
本発明は、物品の収納用又は緩衝用部材の一部の構造、及び収納部材に関する。
【背景技術】
【０００２】
従来、例えば、画像形成装置に用いる各種部品の梱包には、緩衝材として発泡スチロール塊などを梱包箱に詰め込んでいた。しかしながら、発泡スチロールなどは、焼却時に有害物質が発生するといった問題があり、環境保全上好ましくないものであった。
【０００３】
そのため、近年発泡スチロールを用いないか、又は用いたとしても使用量が極力少ない梱包部材が要求されている。
【０００４】
このような梱包部材として、段ボールを利用して、緩衝効果を得ることが可能な種々の構造が提案されている。
【０００５】
図１１は、従来の梱包部材の構造を示す図である。図１１に示すように、外箱１０００の内側に物品が載置された収納部材２０００が収納される構成となっている。この収納部材２０００は、底面２１００と、一組の対向する側壁を有しており、この側壁に、緩衝効果を得る構造２２００が用いられている。
【０００６】
図１２は、構造２２００の拡大図である。図１２に示すように、構造２２００は、角筒形状に配置された、前面２２１０、後面２２２０、上面２２３０、及び下面２２４０によって構成されている。この下面２２４０は、内側下面２２４１と外側下面２２４２によって構成されており、外側下面２２４０は、底面２１００の一部である。
【０００７】
このような構成により、輸送時等に物品が前面２２１０に衝突したとしても、前面２２１０、後面２２２０，上面２２３０、及び下面２２４０によって形成される角筒形状の構成によって緩衝効果が働き、物品が保護される。
【発明の開示】
【発明が解決しようとする課題】
【０００８】
しかしながら、従来の構造では、強度の面で不十分であり、物品の形状によっては前面２２１０に穴があいたりする場合があった。
【０００９】
本発明は、従来の構造の課題を考慮し、より強度の増した構造及び収納部材を提供することを目的とする。
【課題を解決するための手段】
【００１０】
上記目的を達成するために、第１の本発明は、
物品の収納用又は緩衝用部材の一部の構造であって、
角筒形状に配置された、前面部、後面部、上面部、及び下面部と、
前記前面部の内側面と前記後面部の内側面との間隔分の幅を有し、前記前面部の内側面と前記後面部の内側面に対して主面が実質上垂直になるように配置された板状の補強部材とを備え、
前記下面部は、外側下面部と内側下面部を有し、
前記内側下面部は、その一部が切りかかれた切り欠き部を有し、
前記補強部材の一端は、前記切り欠き部の縁部と接続されている、構造である。
【００１１】
また、第２の本発明は、
前記補強部材は、前記内側下面部の前記一部が切り起こされて形成されている、第１の本発明の構造である。
【００１２】
また、第３の本発明は、
前記上面部には、前記前面部側から前記後面部側に向かって第１スリットが形成されており、
前記補強部材の他の一端が、前記第１スリットから突出している、第１の本発明の構造である。
【００１３】
また、第４の本発明は、
前記上面部の一部が切り起こされて、前記前面と実質上同一面上に配置された切り起こし部を備え、
前記補強部材の前記他の一端の側端面は、前記切り起こし部の主面に当接している、第１の本発明の構造である。
【００１４】
また、第５の本発明は、
前記切り起こし部の上端は、前記補強部材の前記他の一端よりも上方に位置している、第４の本発明の構造である。
【００１５】
また、第６の本発明は、
１枚の部材が折り曲げられて、前記前面部、前記後面部、前記上面部、及び前記下面部が形成されている、第１〜５のいずれかの本発明の構造である。
【００１６】
また、第７の本発明は、
物品が載置される底面部と、前記底面部を囲むように設けられた４つの側壁とを備えた収納部材であって、
前記４つの側壁のうち、少なくとも１つの前記側壁が、第１〜６のいずれかの構造を有し、
前記底面部の一部が、前記外側下面部である、収納部材である。
【００１７】
また、第８の本発明は、
前記構造を有する側壁に隣り合う２つの前記側壁のうち、一方の前記側壁に形成された第２スリットと、
他方の前記側壁に形成された第３スリットと、
前記構造を有する側壁の前記前面部に形成された、前記第２スリットと嵌合する第４スリットと、
前記構造を有する側壁の前記前面部に形成された、前記第３スリットと嵌合する第５スリットとを備えた、第７の本発明の収納部材である。
【発明の効果】
【００１８】
本発明によれば、より強度の増した構造及び収納部材を提供することが出来る。
【発明を実施するための最良の形態】
【００１９】
以下、本発明にかかる収納部材の一例について説明すると共に、本発明の構造の一例についても同時に述べる。
【００２０】
（実施の形態１）
図１は、本発明にかかる実施の形態１の収納部材１００と、収納部材１００が収められる外箱２００の外観図である。この外箱２００は、直方体形状である。また、これら収納部材１００及び外箱２００は、いずれも段ボールによって形成されている。又、図２（ａ）、（ｂ）、（ｃ）、（ｄ）、（ｅ）は、本実施の形態１の収納部材１００の正面図、平面図、左側面図、右側面図、及び背面図である。
【００２１】
図１に示すように、物品３００が、収納部材１００に形成されている収納部１１０に収められ、外箱２００に収められ、上蓋２１０が閉じられて、物品３００は梱包される。
【００２２】
本実施の形態１の収納部材１００は、物品３００が載置される矩形状の板状部材である底面部１２０と、底面部１２０と垂直に配置された４つの側壁１３０、１４０、１５０、１６０とを有しており、これらによって収納部１１０が形成されている。
【００２３】
２組の対向する側壁のうち、１組の対向する側壁１３０、１４０は、板状であり、他の１組の対向する側壁１５０、１６０は、それぞれ本実施の形態の構造１、１´を有している。
【００２４】
以下に、側壁１５０の構造について説明するとともに、本発明の構造の一例についても同時に述べる。
【００２５】
図３は、本実施の形態１の側壁１５０近傍の拡大図である。なお、図３において、点線で内部構造が示されている。図４は、図２（ｂ）のＡＡ´間の断面図である。
【００２６】
図２〜図４に示すように、側壁１５０は、角筒形状に配置されている前面部１０、後面部２０、上面部３０、及び下面部４０を有しており、前面部１０は収納部１１０側に配置され、後面部２０は前面部１０に対向して配置され、上面部３０は、前面部１０の上端と後面部２０の上端の間に配置され、下面部４０は、前面部１０の下端と後面部２０の下端の間に配置されている。尚、下面部４０は、図３及び図４に示すように、外側下面部４１と内側下面部４２から形成されており、外側下面部４１は、底面部１２０の一部である。この側壁１５０は、外側下面部４１、後面部２０、上面部３０、前面部１０、内側下面部４２の順に繋がって形成されている。
【００２７】
上面部３０には、図３に示すように、その一部が、前面部１０と同一面上に位置するように切り起こされた上面切り起こし部３１が設けられている。更に、上面部３０には、切り起こしによって形成された上面切り欠き部３２から後面部２０に向かってスリット３３が形成されている。なお、上面切り起こし部３１と前面部１０が同一面上とは、両方の内側面及び外側面同士が同一面上に配置されていることである。詳しくは、図４中、上面切り起こし部３１の主面３１ｂが内側面１１と同一面上であり、主面３１ｂの反対側の面３１ｃが、外側面１７と同一面上に配置されていることである。
【００２８】
また、図２（ｂ）に示すように、上面切り起こし部３１及びスリット３３は、幅方向の中心から図中下方にずれて形成されている。なお、図２（ｂ）において、二点鎖線で中心線Ｌが示されている。なお、本発明の第１スリットの一例は、本実施の形態のスリット３３に相当する。
【００２９】
次に、下面部４０について説明する。本実施の形態１の構造１には、内側下面部４２の一部が切り起こされて形成された板状の補強部材４４が設けられている。この補強部材４４は、前面部１０と後面部２０に垂直な切り起こし線４２ａを基準に上方に切り起こされて形成されたものであり、その主面４４ｂが前面部１０の内側面１１と後面部２０の内側面２１に対して垂直に配置されている。また、補強部材４４は、前面部１０の内側面１１と後面部２０の内側面２１の間隔分の幅を有し、その切り起こした先端４４ａは、スリット３３及び切り欠き部３２から上方に突出している。また、上面切り起こし部３１の上端３１ａは、先端４４ａよりも上方に位置しており、先端４４ａの前面部１０側の側端面４４ｃは、上面切り起こし部３１の主面３１ｂに当接している。
【００３０】
また、下面部４０の上記外側下面部４１には、その一部が、後面部２０と実質上同一面上に位置するように下方に切り起こされた外側下面切り起こし部４３が設けられている。実質上同一面上とは、両方の内側面及び外側面同士が同一面上に配置されていることであり、図４中、外側下面切り起こし部４３の外側面４３ａが後面部２０の外側面２２と同一面上であり、内側面４３ｂが内側面２１と同一面上に配置されていることである。
【００３１】
なお、内側下面部４２の一部が切り起こされて形成された切り欠き部４５が、本発明の切り欠き部の一例に相当する（図３参照）。また、本発明の切り欠き部の縁部の一例は、本実施の形態の切り起こし線４２ａに相当する。又、本発明の補強部材の他の一端の一例は、本実施の形態の先端４４ａに相当し、本発明の側端面の一例は、本実施の形態の側端面４４ｃに相当する。また、本発明の切り起こし部の主面の一例は、本実施の形態の上面切り起こし部３１の主面３１ｂに相当する。
【００３２】
続いて、前面部１０について説明する。図５（ａ）は、図２（ｂ）のＢＢ´間の断面図である。図２及び図５（ａ）に示すように前面部１０は、収納部１１０の外側に配置された２つの外側部１３と、収納部１１０内に配置された内側部１４とを有している。また、外側部１３の下端１３ａは、底面部１２０及び内側部１４の下端１４ａよりも下方に突出している。なお、図５（ａ）中、補強部材４４が点線で示されている。また、詳しくは後述するが、側壁１５０の前面部１０には２つのスリットが形成されており、側壁１５０、１６０に設けられたスリットとそれぞれ嵌合することによって収納部１１０の形状が保持されている。
【００３３】
次に、側壁１６０の構造について説明する。側壁１６０は、基本的な構成は側壁１５０と同じであるが、側壁１５０の構造１とは、補強部材の位置が異なる構造１´を有している。図５（ｂ）は、図２（ｂ）のＣＣ´間の断面図である。
【００３４】
図２（ｂ）、（ｃ）、（ｄ）及び図５（ａ）、（ｂ）に示すように側壁１６０の上面部３０´の上面切り起こし部３１´、上面切り欠き部３２´、及びスリット３３´は、側壁１５０と異なり、図５において幅方向の実質上中央（図２（ｂ）では中心線Ｌ上）に形成されている。また、スリット３３´の位置に合わせて、切り起こし線４２ａ´の位置、及び補強部材４４´の切り起こし線４２ａ´から先端４４ａ´までの長さが、構造１とは異なっている。
【００３５】
次に、側壁１３０、１４０について説明する。図１及び図２（ａ）〜（ｅ）に示すように、側壁１４０は、板状の部材であり、その上端１４０ａの位置は、上面部３０、３０´と実質上同一面上に配置されている。また、側壁１３０も板状の部材であるが、上方に凹凸が形成されており、その凸部のうち最も高さの高い上端１３０ａが上面部３０、３０´と実質上同一面上に配置されている。
【００３６】
次に、底面部１２０について説明する。図２及び図３に示すように、本実施の形態の収納部材１００の底面部１２０は、物品３００が載置される矩形状の板状の部材である。また、底面部１２０は、その側壁１３０側の端の一部が側壁１３０と実質上同一面上になるように下方に切り起こされた底面切り起こし部１２１と、側壁１４０側の一部が側壁１４０の外側面と実質上同一面上になるように下方に切り起こされた底面切り起こし部１２２とを有している。
【００３７】
以下に、上述した構成の本実施の形態１の収納部材１００の作製方法について説明する。
【００３８】
図６は、収納部材１００の展開図であり、一枚のダンボール紙が型によって切り抜かれて形成される。図６中、点線部分は折り目を示し、実線部分には切り込みが形成されている。なお、図６では、上述した各構成に対応する位置に符号が付されている。なお、構造１´は、構造１の内側下面部４２、切り起こし線４２ａとは、長さ又は位置が異なるため、図中、内側下面部４２´、切り起こし線４２ａ´として示されている。
【００３９】
はじめに、図６に示す展開図中の側壁１３０と側壁１４０が底面部１２０と垂直になるように点線に従って紙面手前方向に折り曲げられる。
【００４０】
その後、側壁１５０、１６０が組み立てられる。図７は、側壁１６０を組み立てる工程を説明するための図である。図７に示すように、切り起こした補強部材４４´の先端４４ａ´を上面切り欠き部３２´及びスリット３３´に挿入しながら、後面部２０、上面部３０、前面部１０、内側下面部４２が角筒状に配置されるように図６に示す点線に沿って折り曲げられる。
【００４１】
ここで、図６及び図７に示すように前面部１０の内側部１４と、その両側の外側部１３のそれぞれの間には、下端側から上面部３０に向けてスリット１５、１６が形成されている。また、側壁１３０の側壁１６０側には、上端側から底面部１２０に向けてスリット１３１が形成されている。また、側壁１４０の側壁１６０側には、上端側から下方に向けてスリット１４１が形成されている。このスリット１３１とスリット１５が嵌合され、スリット１４１とスリット１６が嵌合されるように、各面部が角筒状に折り曲げられる。側壁１６０を組み立てた状態が、図８に示されている。また、図６中の後面部２０に隣接する底面部1２０の一部が、外側下面部４１となり、その上に内側下面部４２´が配置され、下面部４０´が形成される（図３、４参照）。
【００４２】
この側壁１６０と同様に側壁１５０も組み立てられ、図１に示す収納部材が作製される。尚、図６に示すように側壁１３０には、側壁１５０側にスリット１３２が形成されており、側壁１４０には、側壁１５０側にスリット１４２が形成されており、側壁１５０の前面部１０のスリット１６とスリット１３２が嵌合し、側壁１６０の前面部１０のスリット１５とスリット１４２が嵌合される。
【００４３】
以上のように、本実施の形態１の収納部材１００は、側壁１５０、１６０の前面部１０と後面部２０の間に補強部材４４、４４´が配置されていることにより強度が増すため、収納部１１０に収納された物品３００によって前面部１０から衝撃を受けたとしても破損し難く、物品３００をより安全に保護することが出来る。
【００４４】
なお、本発明の第２スリットの一例は、本実施の形態のスリット１３１、１４２に相当し、本発明の第３スリットの一例は、本実施の形態のスリット１３２、１４１に相当する。また、本発明の第４スリットの一例は、本実施の形態のスリット１５に相当し、本発明の第５スリットの一例は、本実施の形態のスリット１６に相当する。
【００４５】
又、本実施の形態では、例えば図２及び図３に示すように、スリット３３、３３´及び上面切り欠き部３２、３２´から補強部材４４、４４´の先端４４ａ、４４ａ´が突出されているが、スリット３３、３３´、及び上面切り欠き部３２、３２´を設けず、補強部材４４、４４´の先端４４ａ、４４ａ´を上面部３０、３０´から突出させる構成としなくてもよい。但し、先端４４ａ、４４ａ´を上面部３０、３０´から突出させる構成とした方が、補強部材４４、４４´の位置がスリット３３、３３´によって保持されるためより好ましい。尚、突出させない構成とした場合には、前面部１０の内側面１１と後面部２０の内側面２１の間隔よりも補強部材４４、４４´の幅を若干大きくして、両内側面によって挟まれて位置が保持できる構成とした方が好ましい。
【００４６】
又、上面切り起こし部３１、３１´、及び上面切り欠き部３２、３２´を形成せず、スリット３３、３３´のみが形成されていても良い。但し、切り欠き部３２、３２´を設けた方が、収納部材１００を作製する際に、補強部材４４、４４´をスリット３３、３３´内に挿入しやすくなるためより好ましい。又、上面切り起こし部３１、３１´のみ設けず、上面切り欠き部３２、３２´とスリット３３、３３が設けられていても良い。
【００４７】
また、本実施の形態では、図２〜図４に示すように補強部材４４、４４´の先端４４ａ、４４ａ´が、上面切り起こし部３１、３１´の上端３１ａ、３１ａ´よりも下方に配置されているが、下方に配置されていなくてもよい。但し、下方に配置されていた方が、収納部１１０を蓋で覆う場合に、補強部材４４を誤って上面部３０の下方に押し込むことを防止することが出来る。
【００４８】
また、図２に示すように本実施の形態の収納部材１００では、底面部１２０の底面切り起こし部１２１、１２２、及び側壁１５０、１６０の外側下面切り起こし部４３によって、底面部１２０が外箱２００の底面２２０から所定の高さに保持されることになるが、外側下面切り起こし部４３及び底面切り起こし部１２１、１２２が形成されておらず、外箱２００の底面２２０に底面部１２０が直接載置されていてもよい。但し、物品３００を振動や衝撃から保護するための緩衝性能の観点からは、切り起こし部を設けて、振動が直接物品３００に伝わらないようにする方がより好ましい。
【００４９】
また、本実施の形態では、側壁１３０、１４０、１５０、１６０のうち側壁１５０、１６０がそれぞれ本発明の構造１、１´を有しているが、１つの側壁のみが本発明の構造を有していても良いし、３つ以上の側壁が本発明の構造を有していてもよい。
【００５０】
また、本実施の形態では、構造１、１´が、側壁に用いられているが、底面部１２０に用いられていてもよい。この場合、例えば、前面部１０と後面部２０が水平になり、補強部材４４の主面４４ｂが鉛直方向になるように構造１が配置され、前面部１０上に物品が載置されて使用される。このように使用することによって、輸送の際等の下方からの振動に対して緩衝効果を発揮することが出来る。
【００５１】
また、本実施の形態では、側壁１３０に凹凸が形成されているが、これらの凹凸は物品の形状によって適宜変更すればよく、凹凸が形成されていなくても良い。また、側壁１４０に凹凸が形成されていてもよい。
【００５２】
なお、図２（ｂ）（ｃ）（ｄ）及び図５に示すように、本実施の形態の側壁１５０と側壁１６０では、補強部材の位置が異なっているが、この位置に限らず適宜変更しても良い。例えば、収納される物品３００が突起を有する形状である場合には、前面部１０の突起が当接する位置に補強部材が配置されるようにすればよい。この位置は、補強部材４４の切り起こし線４２ａから先端４４ａまでの長さ、切り起こし線４２ａの位置、スリット３３、及び切り欠き部３２の位置を変更することによって容易に移動することが出来る。
【００５３】
又、本実施の形態では、図３に示すように、内側下面部４２の一部を切り起こすことによって補強部材４４が形成されているが、補強部材４４が別途用意され、補強部材４４の下端４４ｄが内側下面部４２に形成された切り欠き部４５の左側の縁部４５ａに接続されてもよい。
【００５４】
また、本実施の形態の側壁１６０の構造１では、補強部材が１つ設けられていたが、２つ設けられていても良い。このような構造５０を有する側壁１７０を図９に示す。又、図１０は、側壁１７０の部分の展開図である。この側壁１７０は、上述した側壁１５０と基本的な構成は同じであり、側壁１５０と同じ構成については同一符号が付されている。図９及び図１０に示すように、側壁１７０の上面２３０には、側壁１５０の上面切り起こし部３１と同様に上面切り起こし部２３１が形成されており、この切り起こしによって形成される切り欠き部２３２から２つのスリット２３３が後面部２０に向かって形成されている。また、図１０に示すように、内側下面部２４２は、実質上中央で２つの部分に分離され、これら２つの部分が、それぞれ切り起こされて、図９に示す２つの切り起こし部２４４が形成されている。これら２つの切り起こし部２４４は、２つのスリット２３３に、それぞれ挿入され、それらの先端２４４ａが上面２３０から突出している。
【００５５】
以上のような側壁１７０の構成としてもよく、側壁の強度をより増すことが可能となる。なお、このような構成の場合、本発明の切り欠き部の一例は、内側下面部２４２を切り起こすことによって形成された切り欠き部２４５に相当し、本発明の切り欠き部の縁部の一例は、図９中、２つの切り起こし線２４２ａに相当する。
【００５６】
なお、本実施の形態では、１枚のダンボールによって形成されているが、切り離された部材を接続して作製しても良いし、例えば、構造１、１´の部分のみ一枚の段ボールを用いて作製してもよい。
【００５７】
また、段ボールに限らず厚紙等であってもよいし、金属で形成されていてもよい。
【００５８】
また、上記では収納部材を輸送の際の緩衝に用いるものとして説明したが、単に収納として用いてもよい。
【００５９】
なお、物品３００としては、例えば、画像形成装置に用いる交換用トナー等の各種部品を挙げることが出来るが、画像形成装置に用いる部品などに限らない。
【産業上の利用可能性】
【００６０】
本発明の構造及び収納部材は、より強度を増すことが可能な効果を有し、部品などの搬送用の収納部材などとして有用である。
【図面の簡単な説明】
【００６１】
【図１】本発明にかかる実施の形態１における収納部材１００及び外箱２００の外観図
【図２（ａ）】本発明にかかる実施の形態１における収納部材１００の正面図
【図２（ｂ）】本発明にかかる実施の形態１における収納部材１００の平面図
【図２（ｃ）】本発明にかかる実施の形態１における収納部材１００の左側面図
【図２（ｄ）】本発明にかかる実施の形態１における収納部材１００の右側面図
【図２（ｅ）】本発明にかかる実施の形態１における収納部材１００の背面図
【図３】本発明にかかる実施の形態１における収納部材１００の側壁１５０近傍の拡大図
【図４】図２（ａ）のＡＡ´断面図
【図５】（ａ）図２（ａ）のＢＢ´断面図、（ｂ）図２（ａ）のＣＣ´間断面図
【図６】本発明にかかる実施の形態１における収納部材１００の展開図
【図７】本発明にかかる実施の形態１における収納部材１００の作製工程を説明するための側壁１６０近傍の拡大図
【図８】本発明にかかる実施の形態１における収納部材１００の作製工程を説明するための側壁１６０近傍の拡大図
【図９】本発明にかかる実施の形態１の変形例の側壁１７０の近傍の拡大図
【図１０】本発明にかかる実施の形態１の変形例の側壁１７０の展開図
【図１１】従来の収納部材２０００及び外箱１０００の外観図
【図１２】従来の収納部材２０００の側壁２２００の拡大図
【符号の説明】
【００６２】
１、１´  構造
１０  前面部
１１  内側面
１２  外側面
１３  外側部
１４  内側部
２０  後面部
３０  上面部
３１  上面切り起こし部
３２  上面切り欠き部
３３  スリット
４０  下面部
４１  外側下面部
４２  内側下面部
４３  外側下面切り起こし部
４４  補強部材
１００  収納部材
１１０  収納部
１２０  底面部
１３０、１４０、１５０、１６０  側壁
２００  外箱
２１０  上蓋
２２０  底面
【図１】
2010052746.tif 000003
【図２（ａ）】
2010052746.tif 000004
【図２（ｂ）】
2010052746.tif 000005
【図２（ｃ）】
2010052746.tif 000006
【図２（ｄ）】
2010052746.tif 000007
【図２（ｅ）】
2010052746.tif 000008
【図３】
2010052746.tif 000009
【図４】
2010052746.tif 000010
【図５】
2010052746.tif 000011
【図６】
2010052746.tif 000012
【図７】
2010052746.tif 000013
【図８】
2010052746.tif 000014
【図９】
2010052746.tif 000015
【図１０】
2010052746.tif 000016
【図１１】
2010052746.tif 000017
【図１２】
2010052746.tif 000018